(57)【要約】【課題】長尺の媒体を巻取ローラーに巻き取る際に巻きずれが発生することを抑制できる巻取装置及び当該巻取装置を備える印刷装置を提供する。【解決手段】巻取装置１００は、回転可能に支持した巻取ローラー６１に長尺の媒体Ｍを巻き取る巻取部６０と、巻取ローラー６１に向けて媒体Ｍを押さえ付ける押さえ部７２１と、を備える。【選択図】図４
2018065657.tif 000002
【特許請求の範囲】
【請求項１】
回転可能に支持した巻取ローラーに長尺の媒体を巻き取る巻取部と、
前記媒体を前記巻取ローラーに向けて押さえ付ける押さえ部と、を備える
ことを特徴とする巻取装置。
【請求項２】
前記押さえ部は、前記巻取ローラーが巻き取る以前の前記媒体を前記巻取ローラーに向けて押さえ付ける
ことを特徴とする請求項１に記載の巻取装置。
【請求項３】
前記押さえ部は、前記巻取ローラーの軸方向に延びる軸を回転軸として回転し、前記媒体を前記巻取ローラーに向けて押さえ付ける押さえローラーを有する
ことを特徴とする請求項１又は請求項２に記載の巻取装置。
【請求項４】
前記巻取部は、前記巻取ローラーを着脱可能に支持するものであって、
前記押さえ部が前記巻取ローラーに向けて前記媒体を押さえ付ける状態を解除する解除機構をさらに備える
ことを特徴とする請求項１〜請求項３の何れか一項に記載の巻取装置。
【請求項５】
前記巻取部は、前記巻取ローラーを着脱可能に支持し、
前記押さえ部は、前記媒体を前記巻取ローラーに向けて押さえ付ける押さえ位置と、前記押さえ位置よりも前記巻取ローラーから離れる方向に退避した押さえ解除位置との間を回転可能であって、
前記押さえ部が前記巻取ローラーに向けて押さえ付ける以前の前記媒体を押圧することで当該媒体に張力を付与する押圧位置と、前記押圧位置よりも前記媒体から退避した押圧解除位置との間を回転可能な張力付与部と、
前記張力付与部が前記押圧解除位置に向かって回転するときに、前記押さえ部が前記押さえ解除位置に向かって回転するように、前記張力付与部の回転を前記押さえ部に伝達する伝達機構と、をさらに備える
ことを特徴とする請求項１〜請求項４の何れか一項に記載の巻取装置。
【請求項６】
長尺の媒体に印刷を行う印刷部と、
印刷済みの前記媒体を巻き取る巻取装置と、を備え、
前記巻取装置として、請求項１〜請求項５の何れか一項に記載の巻取装置を適用する
ことを特徴とする印刷装置。
【発明の詳細な説明】
【技術分野】
【０００１】
本発明は、巻取装置及び当該巻取装置を備える印刷装置に関する。
【背景技術】
【０００２】
従来から、長尺の用紙などの媒体にインクを吐出することで印刷を行う印刷装置が知られている。また、こうした印刷装置の中には、印刷済の媒体を巻取ローラーに巻き取る巻取装置を備えるものがある（例えば、特許文献１）。そして、この巻取装置では、媒体の搬送速度と媒体の巻取速度とを制御することで、巻取ローラーに対する媒体の巻きずれの発生を抑制している。
【先行技術文献】
【特許文献】
【０００３】
【特許文献１】特開２０１５−２２７２３１号公報
【発明の概要】
【発明が解決しようとする課題】
【０００４】
ところが、上記のような印刷装置においては、巻取ローラーに巻き取った媒体の層間に空気が入り込むことに起因して巻きずれが発生するおそれがあり、こうした巻きずれを抑制する点について、なお改善の余地が残されていた。
【０００５】
本発明は、上記実情に鑑みてなされたものである。その目的は、長尺の媒体を巻取ローラーに巻き取る際に巻きずれが発生することを抑制できる巻取装置及び当該巻取装置を備える印刷装置を提供することにある。
【課題を解決するための手段】
【０００６】
以下、上記課題を解決するための手段及びその作用効果について記載する。
上記課題を解決する巻取装置は、回転可能に支持した巻取ローラーに長尺の媒体を巻き取る巻取部と、前記媒体を前記巻取ローラーに向けて押さえ付ける押さえ部と、を備える。
【０００７】
上記構成によれば、押さえ部が巻取ローラーに向けて媒体を押さえ付けるため、巻取ローラーに巻き取られた媒体の層間に空気が入り込みにくくなる。このため、巻取ローラーに媒体を巻き取るときに、媒体の巻きずれが発生することを抑制できる。
【０００８】
上記巻取装置において、前記押さえ部は、前記巻取ローラーが巻き取る以前の前記媒体を前記巻取ローラーに向けて押さえ付けることが好ましい。
上記構成によれば、押さえ部が巻取ローラーに巻き取られる以前の媒体を当該巻取ローラーに向けて押さえ付けるため、巻取ローラーに既に巻き取られた媒体と、巻取ローラーにこれから巻き取られる媒体との間に空気が入り込みにくくなる。このため、媒体の巻きずれが発生することをさらに抑制できる。
【０００９】
上記巻取装置において、前記押さえ部は、前記巻取ローラーの軸方向に延びる軸を回転軸として回転し、前記媒体を前記巻取ローラーに向けて押さえ付ける押さえローラーを有することが好ましい。
【００１０】
上記構成によれば、巻取ローラーに媒体を巻き取る際に、媒体を押さえ付ける押さえローラーが回転するため、押さえ部（押さえローラー）と媒体との擦れを抑制できる。このため、巻取ローラーに巻き取った媒体の表面が傷付くおそれを低減できる。
【００１１】
上記巻取装置において、前記巻取部は、前記巻取ローラーを着脱可能に支持するものであって、前記押さえ部が前記巻取ローラーに向けて前記媒体を押さえ付ける状態を解除する解除機構をさらに備えることが好ましい。
【００１２】
押さえ部が巻取ローラーに向けて媒体を押さえ付ける状態にある場合には、ユーザーが巻取ローラーを着脱（交換）しにくくなりやすい。この点、上記構成によれば、解除機構が押さえ部の上記状態を解除できるため、ユーザーが巻取ローラーの着脱を容易に行うことができる。
【００１３】
上記巻取装置において、前記巻取部は、前記巻取ローラーを着脱可能に支持し、前記押さえ部は、前記媒体を前記巻取ローラーに向けて押さえ付ける押さえ位置と、前記押さえ位置よりも前記巻取ローラーから離れる方向に退避した押さえ解除位置との間を回転可能であって、前記押さえ部が前記巻取ローラーに向けて押さえ付ける以前の前記媒体を押圧することで当該媒体に張力を付与する押圧位置と、前記押圧位置よりも前記媒体から退避した押圧解除位置との間を回転可能な張力付与部と、前記張力付与部が前記押圧解除位置に向かって回転するときに、前記押さえ部が前記押さえ解除位置に向かって回転するように、前記張力付与部の回転を前記押さえ部に伝達する伝達機構と、をさらに備えることが好ましい。
【００１４】
押さえ部が押さえ位置に位置したり、張力付与部が押圧位置に位置したりする場合には、ユーザーが巻取ローラーを着脱（交換）しにくくなりやすい。この点、上記構成によれば、ユーザーが張力付与部を押圧解除位置に向けて回転させることで、張力付与部を押圧解除位置に配置させるとともに、押さえ部を押さえ解除位置に配置させることができる。このため、ユーザーが押さえ部を押さえ解除位置に配置させる作業と張力付与部を押圧解除位置に配置させる作業とを別個に行う必要がなくなるため、ユーザビリティを向上させることができる。
【００１５】
上記課題を解決する印刷装置は、長尺の媒体に印刷を行う印刷部と、印刷済みの前記媒体を巻き取る巻取装置と、を備え、前記巻取装置として、上述した巻取装置を適用する。
上記構成によれば、印刷装置において、上述した巻取装置の奏する作用効果と同等の作用効果を得ることができる。
【図面の簡単な説明】
【００１６】
【図１】一実施形態に係る印刷装置の斜視図。
【図２】巻取ローラーの装着時における上記印刷装置の概略構成を示す側面図。
【図３】印刷開始前における上記印刷装置の概略構成を示す側面図。
【図４】印刷中における上記印刷装置の概略構成を示す側面図。
【図５】巻取ローラーの取り外し時における上記印刷装置の概略構成を示す側面図。
【発明を実施するための形態】
【００１７】
以下、巻取装置を備える印刷装置の一実施形態について図面を参照しつつ説明する。なお、本実施形態の印刷装置は、長尺の用紙などの媒体Ｍにインクを吐出することで文字や画像の印刷を行うインクジェット式のラージフォーマットプリンター（ＬＦＰ）である。
【００１８】
図１に示すように、印刷装置１０は、箱状をなす筐体１１と、筐体１１を支持する脚部１２と、を備えている。また、図２に示すように、印刷装置１０は、媒体Ｍの搬送方向に沿って、ロール状に巻き取られた媒体Ｍを繰り出す繰出部２０と、媒体Ｍを支持する支持部３０と、媒体Ｍを搬送する搬送部４０と、媒体Ｍに印刷を行う印刷部５０と、を備えている。また、印刷装置１０は、媒体Ｍをロール状に巻き取る巻取部６０と、巻取部６０による媒体Ｍの巻き取りを補助する巻取補助部７０と、を有する巻取装置１００を備えている。
【００１９】
なお、以降の説明では、印刷装置１０の長手方向でもある左右方向を「幅方向Ｘ」とし、印刷装置１０の奥行方向を「前後方向Ｙ」とし、印刷装置１０の上下方向を「鉛直方向Ｚ」とする。ここで、幅方向Ｘ、前後方向Ｙ及び鉛直方向Ｚは、互いに交差（直交）する方向である。
【００２０】
図１及び図２に示すように、繰出部２０は、筐体１１の後方下側に配置されている。繰出部２０は、繰出ローラー２１を回転可能に支持する繰出ユニット２２と、繰出ユニット２２を幅方向Ｘに移動可能に支持する案内軸２３と、を備えている。ここで、繰出ローラー２１は、例えば、紙製又は樹脂製の管であればよい。
【００２１】
繰出ユニット２２は、幅方向Ｘに対をなすように間隔をおいて配置されている。図２に示すように、繰出ユニット２２は、幅方向Ｘにおける内側に向かって突出する回転体２４を有している。回転体２４は、円管状をなす繰出ローラー２１の端部に挿入されることで、当該繰出ローラー２１と一体に回転するものである。また、図２に示すように、対をなす繰出ユニット２２のうち、一方の繰出ユニット２２は、当該一方の繰出ユニット２２の回転体２４を回転させる繰出モーター２５を有している。そして、繰出部２０では、繰出ユニット２２に媒体Ｍを巻き重ねた繰出ローラー２１が装着された状態で、繰出ローラー２１を回転させることで、支持部３０に向けて媒体Ｍが繰り出される。
【００２２】
図２に示すように、支持部３０は、搬送方向に進むに連れて鉛直上方に向かう第１の支持部３１と、水平方向に延びる第２の支持部３２と、搬送方向に進むに連れて鉛直下方に向かう第３の支持部３３と、を有している。第１の支持部３１は、繰出部２０から繰り出された媒体Ｍを第２の支持部３２に向けて案内する。第２の支持部３２は、印刷部５０によって印刷される媒体Ｍを支持する。第３の支持部３３は、印刷済みの媒体Ｍを巻取部６０に向けて案内する。
【００２３】
図２に示すように、搬送部４０は、媒体Ｍの搬送経路の鉛直下方に配置される駆動ローラー４１と、媒体Ｍの搬送経路の鉛直上方に配置される従動ローラー４２と、を備えている。駆動ローラー４１及び従動ローラー４２は、幅方向Ｘを回転軸方向として配置されている。そして、搬送部４０において、駆動ローラー４１及び従動ローラー４２に媒体Ｍを挟持させた状態で、駆動ローラー４１を駆動させることで、搬送方向に向かって媒体Ｍが搬送される。
【００２４】
図２に示すように、印刷部５０は、記録材の一例としてのインクを吐出する吐出部５１と、吐出部５１を保持するキャリッジ５２と、キャリッジ５２を支持する幅方向Ｘを長手方向とするガイド軸５３と、を備えている。吐出部５１は、第２の支持部３２に向かって開口する複数のノズルを有している。すなわち、吐出部５１は、いわゆるインクジェットヘッドである。そして、印刷部５０では、キャリッジ５２の幅方向Ｘへの移動時に、吐出部５１から支持部３０に支持された媒体Ｍにインクを噴射することで、当該媒体Ｍに文字や画像を印刷（形成）する。
【００２５】
図１及び図２に示すように、巻取部６０は、巻取ローラー６１を回転可能に支持する巻取ユニット６２と、巻取ユニット６２を幅方向Ｘに移動可能に支持する案内軸６３と、巻取ユニット６２の駆動を制御する制御部６４と、を備えている。ここで、巻取ローラー６１は、例えば、紙製又は樹脂製の管であればよい。
【００２６】
巻取ユニット６２は、幅方向Ｘに対をなすように間隔をおいて配置されている。巻取ユニット６２は、幅方向Ｘにおける内側に向かって突出する回転体６５を有している。回転体６５は、円管状をなす巻取ローラー６１の端部に挿入されることで、当該巻取ローラー６１と一体に回転するものである。また、対をなす巻取ユニット６２のうち、一方の巻取ユニット６２は、当該一方の巻取ユニット６２の回転体６５を回転させる巻取モーター６６を有している。そして、巻取部６０では、巻取ユニット６２に巻取ローラー６１が装着された状態で、巻取ローラー６１を回転させることで、印刷済みの媒体Ｍの巻き取りが行われる。また、巻取部６０において、巻取ユニット６２を幅方向Ｘ外側に移動させることで、巻取ローラー６１が巻取ユニット６２から取り外される。
【００２７】
図２に示すように、巻取補助部７０は、媒体Ｍに張力を付与する張力付与機構７１と、巻取ローラー６１に媒体Ｍを押さえ付ける押さえ機構７２と、張力付与機構７１の動きを押さえ機構７２に伝達する伝達機構７３と、を備えている。
【００２８】
図２に示すように、張力付与機構７１は、媒体Ｍを裏側から押圧する張力付与部７１１と、張力付与部７１１を回転可能（揺動可能）に支持する回転軸７１２と、張力付与部７１１を固定支持する固定部７１３と、張力付与部７１１の回転角度を検出する検出部７１４と、を備えている。
【００２９】
張力付与部７１１は、幅方向Ｘを長手方向とするテンションバー７１５と、テンションバー７１５の幅方向Ｘにおける両端部を支持するアーム部材７１６と、を備えている。テンションバー７１５は、媒体Ｍと円滑に摺動できるように曲面を有していることが好ましく、例えば、円柱状とすればよい。アーム部材７１６は、棒状をなし、その先端にテンションバー７１５を回転不能に支持する一方、その基端が回転軸７１２に回転可能に支持されている。
【００３０】
回転軸７１２は、テンションバー７１５の幅方向Ｘ両側に対をなすように設けられている。また、印刷装置１０の側面視において、回転軸７１２、すなわちアーム部材７１６の回転中心は、巻取ローラー６１の回転中心よりも後方側に位置している。
【００３１】
そして、張力付与部７１１は、第１の回転方向Ｒ１（図２において反時計方向）に回転することで、媒体Ｍの搬送経路と交差する方向に当該媒体Ｍを押圧し、媒体Ｍの搬送方向にテンション（張力）を付与する。ここで、張力付与部７１１が押圧する媒体Ｍは、押さえ機構７２が巻取ローラー６１に向けて押さえ付ける以前の媒体Ｍである。また、張力付与部７１１は、第１の回転方向Ｒ１とは逆方向となる第２の回転方向Ｒ２（図２において時計方向）に回転することで、媒体Ｍの搬送経路から退避し、媒体Ｍに張力を付与しない状態とする。以降の説明では、張力付与部７１１が媒体Ｍを押圧する位置を「押圧位置」とも言い、張力付与部７１１が媒体Ｍを押圧しない位置、すなわち、媒体Ｍの搬送経路（媒体Ｍ）から退避した位置（図２に示す位置）を「押圧解除位置」とも言う。
【００３２】
また、張力付与機構７１の固定部７１３は、押圧解除位置で張力付与部７１１を回転不能に固定する。なお、固定部７１３は、例えば、押圧解除位置で張力付与部７１１を固定することができるのであれば、張力付与部７１１に係止することで固定するフックであってもよいし、張力付与部７１１を磁力で固定する磁性体であってもよいし、他の構成であってもよい。また、固定部７１３は、筐体１１に設けてもよいし、脚部１２に設けてもよいし、他の部分に設けてもよい。
【００３３】
検出部７１４は、張力付与部７１１の回転量を検出可能なセンサーであればよく、例えば、ロータリーエンコーダーとすればよい。そして、検出部７１４は、張力付与部７１１の回転角度（回転量）に応じた検出信号を制御部６４に送信する。
【００３４】
図１及び図２に示すように、押さえ機構７２は、巻取ローラー６１に媒体Ｍを押さえ付ける押さえ部７２１と、押さえ部７２１を回転可能（揺動可能）に支持する回転軸７２２と、押さえ部７２１に回転軸７２２回りのモーメントを付与する付勢部材７２３と、を備えている。
【００３５】
押さえ部７２１は、幅方向Ｘを長手方向とする押さえローラー７２４と、押さえローラー７２４の幅方向Ｘにおける両端部を支持するアーム部材７２５と、を有している。押さえローラー７２４は、円柱状をなし、巻取部６０に装着された状態の巻取ローラー６１の軸方向に延びる軸を回転軸７２２としている。アーム部材７２５は、棒状をなし、その先端に押さえローラー７２４を回転可能に支持する一方、その基端が回転軸７２２に回転可能に支持されている。
【００３６】
回転軸７２２は、アーム部材７２５と同様に、押さえローラー７２４の幅方向Ｘ両側に対をなすように設けられている。また、印刷装置１０の側面視において、回転軸７２２、すなわち押さえ部７２１の回転中心は、巻取ローラー６１の回転中心よりも下方側に位置している。
【００３７】
付勢部材７２３は、押さえ部７２１が巻取ローラー６１に接近するように当該押さえ部７２１にモーメントを付与する。すなわち、付勢部材７２３は、アーム部材７２５に対して、第２の回転方向Ｒ２にモーメントを付与する。なお、付勢部材７２３は、アーム部材７２５の基端側に設ける場合には、トーションばねやコイルばねなどのねじりばねとすることが好ましい。また、付勢部材７２３は、アーム部材７２５の基端から離れた位置に設ける場合には、圧縮コイルばね又は引張コイルばねなどとすることもできる。
【００３８】
そして、押さえ部７２１は、第２の回転方向Ｒ２に回転することで、巻取ローラー６１に向けて媒体Ｍを押さえ付ける。また、押さえ部７２１は、第１の回転方向Ｒ１に回転することで、巻取ローラー６１に向けて媒体Ｍを押さえ付けない状態とする。以降の説明では、巻取ローラー６１に向けて媒体Ｍを押さえ付ける位置を「押さえ位置」とも言い、押さえ部７２１が巻取ローラー６１に向けて媒体Ｍを押さえ付けない位置、すなわち、押さえ位置よりも巻取ローラー６１から離れる方向に退避した位置（図２に示す位置）を「押さえ解除位置」とも言う。また、押さえ位置に押さえ部７２１が位置する場合には、巻取ローラー６１と押さえ部７２１とが媒体Ｍを挟持（ニップ）することになる。この点で、押さえ位置は「ニップ位置」と言うこともできる。
【００３９】
また、本実施形態では、媒体Ｍの搬送方向において、押さえ部７２１が下流側で媒体Ｍを押さえる構成であるのに対し、張力付与部７１１が上流側で媒体Ｍを押圧する構成でもある。
【００４０】
ところで、本実施形態では、巻取ローラー６１に巻き取った媒体Ｍが多くなるに連れて巻取ローラー６１の外径が大きくなる。このため、巻取ローラー６１における媒体Ｍの巻取量に応じて、押さえ部７２１が、巻取ローラー６１に向けて媒体Ｍを押さえ付ける位置は変化する。このため、押さえ位置とは、ある特定の位置を言うのではなく、ある範囲内の位置を言う。
【００４１】
伝達機構７３は、張力付与機構７１の回転軸７１２に回転可能に支持される第１のギヤ７３１と、押さえ機構７２の回転軸７２２に回転可能に支持される第２のギヤ７３２と、を有している。第１のギヤ７３１は張力付与部７１１とは独立して回転できるように回転軸７１２に支持され、第２のギヤ７３２は、押さえ部７２１とは独立して回転できるように回転軸７２２に支持されている。また、第１のギヤ７３１及び第２のギヤ７３２は、互いに噛み合うように配置されている。
【００４２】
第１のギヤ７３１の側面には第１の当接部７３３が突出形成されている。第１の当接部７３３は、張力付与部７１１のアーム部材７１６の第２の回転方向Ｒ２側に形成されている。そして、第１の当接部７３３は、押圧位置から押圧解除位置に向かって回転する張力付与部７１１に当接することで、第１のギヤ７３１を第２の回転方向Ｒ２に回転させる。
【００４３】
また、第２のギヤ７３２の側面には第２の当接部７３４が突出形成されている。第２の当接部７３４は、押さえ部７２１のアーム部材７２５の第２の回転方向Ｒ２側に形成されている。そして、第２の当接部７３４は、第２のギヤ７３２が第１の回転方向Ｒ１に回転するときに、押さえ部７２１のアーム部材７２５と当接することで、押さえ部７２１を押さえ位置から押さえ解除位置に回転させる。
【００４４】
図２に示すように、制御部６４は、検出部７１４の検出結果に基づいて、巻取ユニット６２の巻取モーター６６の駆動を制御する。詳しくは、制御部６４は、張力付与部７１１の回転角度に応じて、巻取モーター６６の駆動を開始したり、巻取モーター６６の駆動を停止したりする。なお、説明を省略したが、本実施形態の印刷装置１０は、印刷に関する制御を行う制御部を備えているものとする。なお、この印刷に関する制御を行う制御部と上記の制御部６４とを１つの制御部として構成してもよい。
【００４５】
次に、図２〜図５を参照して、本実施形態の巻取装置１００（印刷装置１０）の作用について説明する。なお、図３〜図５では、説明理解の容易のために、繰出ユニット２２及び巻取ユニット６２の図示を省略している。
【００４６】
さて、印刷装置１０において、媒体Ｍに印刷を行う場合には、媒体Ｍが巻き重ねられた繰出ローラー２１が繰出部２０に装着され、媒体Ｍが巻き重ねられていない巻取ローラー６１が巻取部６０に装着される。ここで、巻取部６０に巻取ローラー６１を装着する際には、張力付与部７１１が押圧解除位置に配置され、押さえ部７２１が押さえ解除位置に配置される。
【００４７】
詳しくは、張力付与部７１１は、固定部７１３によって、押圧解除位置から回転しないように固定される。このため、押圧解除位置に位置する張力付与部７１１のアーム部材７１６に当接する第１の当接部７３３を有する第１のギヤ７３１は、その回転範囲において最も第２の回転方向Ｒ２に回転した状態で停止する。また、第１のギヤ７３１に噛み合う第２のギヤ７３２は、その回転範囲において最も第１の回転方向Ｒ１に回転した状態で停止する。このため、押さえ部７２１のアーム部材７２５が第２の当接部７３４と当接することで、押さえ部７２１は、その回転範囲において最も第１の回転方向Ｒ１に回転した状態である押さえ解除位置に配置される。なお、押さえ部７２１は、付勢部材７２３の付勢力によって、第２の回転方向Ｒ２に回転しようとするが、押さえ部７２１のアーム部材７２５が第２の当接部７３４と当接することで、その回転が制限される。
【００４８】
こうして、張力付与部７１１が押圧解除位置に配置されるとともに、押さえ部７２１が押さえ解除位置に配置されることで、ユーザーが巻取部６０に対して巻取ローラー６１を着脱するときの作業領域が確保される。そして、巻取部６０に巻取ローラー６１が装着されると、ユーザーによって、繰出ローラー２１から繰り出した長尺の媒体Ｍの先端が巻取ローラー６１に巻き付けられる。
【００４９】
続いて、図３に示すように、ユーザーによって、固定部７１３による張力付与部７１１の固定が解除されると、張力付与部７１１が自重によって印刷装置１０の前方に倒れ込む。すると、張力付与部７１１が押圧位置に配置される。このため、張力付与部７１１が支持部３０と巻取ローラー６１との間で張られた媒体Ｍを押圧することで、媒体Ｍに搬送方向に張力が作用する。
【００５０】
また、張力付与部７１１が押圧解除位置に位置しなくなることで、押さえ部７２１が、付勢部材７２３の付勢力によって、押さえ解除位置から押さえ位置に向かって第２の回転方向Ｒ２に回転する。その結果、押さえ部７２１は、巻取ローラー６１が巻き取る以前の媒体Ｍを巻取ローラー６１に向けて押さえる状態となる。このため、図３において、二点鎖線で示すように、押さえ部７２１が押さえ位置に配置される前よりも、テンションバー７１５と巻取ローラー６１との間の媒体Ｍの搬送経路が短くなる。
【００５１】
なお、巻取ローラー６１が巻き取る以前の媒体Ｍとは、巻取ローラー６１に巻き取られる直前の媒体Ｍである。このため、押さえ部７２１が押さえ位置に位置することで、巻取ローラー６１が巻き取る以前の媒体Ｍを押さえ部７２１が巻取ローラー６１に押さえ付けたとしても、テンションバー７１５と巻取ローラー６１との間の媒体Ｍの搬送経路は僅かに変更されるのみである。
【００５２】
なお、押さえ部７２１が押さえ解除位置から押さえ位置に向かって第２の回転方向Ｒ２に回転する場合には、第２のギヤ７３２の第２の当接部７３４が押さえ部７２１のアーム部材７２５に押されることで、第２のギヤ７３２が第２の回転方向Ｒ２に回転し、第１のギヤ７３１が第１の回転方向Ｒ１に回転する。そして、押さえ部７２１が押さえ位置に配置された状態では、第２のギヤ７３２がその回転範囲において最も第２の回転方向Ｒ２に回転した状態となり、第１のギヤ７３１がその回転範囲において最も第１の回転方向Ｒ１に回転した状態となる。ただし、本実施形態では、第１のギヤ７３１がその回転範囲において最も第１の回転方向Ｒ１に回転した状態において、第１のギヤ７３１の第１の当接部７３３は、アーム部材７１６に接触しないものとする。
【００５３】
こうして、図３に示すように、印刷を開始できる準備が整うと印刷装置１０による印刷が開始される。すなわち、繰出部２０の繰出ローラー２１から繰り出された媒体Ｍを、搬送部４０が支持部３０に向けて搬送した後に、印刷部５０がインクを吐出することで、印刷が行われる。そして、印刷済みの媒体Ｍは、巻取部６０に向かって搬送された後、巻取部６０に巻き取られる。
【００５４】
図４において、実線及び二点鎖線で示すように、巻取部６０は、印刷済みの媒体Ｍの巻き取りを間欠的に行う。すなわち、巻取ローラー６１に媒体Ｍを巻き取ることなく、搬送方向に媒体Ｍを搬送し続ける第１の巻取工程と、巻取ローラー６１に媒体Ｍを巻き取る第２の巻取工程と、を経て、巻取ローラー６１に媒体Ｍが巻き取られる。なお、第２の巻き取り工程では、搬送方向に媒体Ｍを搬送してもよいし、搬送しなくてもよい。
【００５５】
第１の巻取工程では、媒体Ｍの搬送方向への搬送量が、巻取ローラー６１への媒体Ｍの巻取量を上回ることで、支持部３０（第３の支持部３３）と巻取部６０の間で、媒体Ｍに弛みが生じようとする。ところが、この場合には、図４に二点鎖線で示すように、張力付与部７１１がその自重によって、第１の回転方向Ｒ１に回転する。このため、支持部３０と媒体Ｍの間で媒体Ｍに弛みが生じることが抑制され、媒体Ｍに搬送方向への張力が作用した状態が継続される。
【００５６】
そして、張力付与部７１１の回転角度が巻取開始角度θａに達すると、第２の巻取工程を開始すべく、巻取モーター６６が駆動される。その結果、押さえ部７２１が巻取ローラー６１に向けて媒体Ｍを押し付けた状態で、巻取ローラー６１に媒体Ｍが巻き取られる。このため、既に巻取ローラー６１に巻き取られた媒体Ｍと、これから巻取ローラー６１に巻き取られる媒体Ｍとの間に空気が入り込みにくく、巻きずれが起こりにくい。
【００５７】
ここで、巻取開始角度θａとは、巻取ローラー６１の回転を開始するときの張力付与部７１１の回転角度である。すなわち、張力付与部７１１の回転角度が巻取開始角度θａとなることは、第１の巻取工程を終了する条件であるとともに、第２の巻取工程を開始する条件でもある。
【００５８】
また、巻取ローラー６１に対する媒体Ｍの巻き取りが開始されると、支持部３０及び巻取部６０の間における媒体Ｍの長さが短くなることで、張力付与部７１１が第２の回転方向Ｒ２に回転する。そして、図４に実線で示すように、張力付与部７１１の回転角度が巻取停止角度θｂに達すると、巻取モーター６６の駆動が停止される。こうして、巻取ローラー６１に対する媒体Ｍの巻き取りが停止される。
【００５９】
ここで、巻取停止角度θｂとは、巻取ローラー６１の回転を停止するときの張力付与部７１１の回転角度である。すなわち、張力付与部７１１の回転角度が巻取停止角度θｂとなることは、第２の巻取工程を終了する条件であるとともに、第１の巻取工程を開始する条件でもある。
【００６０】
こうして、媒体Ｍに印刷を行っている最中は、第１の巻取工程と第２の巻取工程とが交互に行われることで、巻取ローラー６１に媒体Ｍが巻き取られる。巻取ローラー６１に対する媒体Ｍの巻取量が増大すると、付勢部材７２３の付勢力に抗して押さえ部７２１が第１の回転方向Ｒ１に回転され、当該押さえ部７２１が媒体Ｍを巻取ローラー６１に向けて押さえる状態が継続される。
【００６１】
なお、張力付与部７１１が巻取開始角度θａ及び巻取停止角度θｂに達したか否かは、検出部７１４の検出結果に基づいて制御部６４が判定するものとする。また、本実施形態では、張力付与部７１１は、巻取開始角度θａと巻取停止角度θｂとの間の角度範囲で媒体Ｍに張力を発生させる点で、巻取開始角度θａと巻取停止角度θｂとの間の位置が押圧位置である。
【００６２】
そして、図５に示すように、繰出ローラー２１に巻き重ねた全ての媒体Ｍについて印刷が終了したり、印刷装置１０に投入された印刷ジョブの全てが終了したりすると、繰出部２０から繰出ローラー２１が取り外されたり、巻取部６０から巻取ローラー６１が取り外されたりする。
【００６３】
ここで、巻取部６０を巻取ローラー６１から取り外す場合には、ユーザーによって、張力付与部７１１を第２の回転方向Ｒ２に回転させて、押圧解除位置に位置させる。すると、張力付与部７１１のアーム部材７１６が第１のギヤ７３１の第１の当接部７３３を押すことで、第１のギヤ７３１が第２の回転方向Ｒ２に回転する。また、第１のギヤ７３１と噛み合う第２のギヤ７３２が第１の回転方向Ｒ１に回転することにより、第２の当接部７３４が押さえ部７２１を第１の回転方向Ｒ１に回転させる。その結果、第２のギヤ７３２が押さえ解除位置に配置される。こうして、巻取部６０から巻取ローラー６１と取り外すための作業領域が確保される。
【００６４】
また、本実施形態では、張力付与部７１１を押圧位置から押圧解除位置に移動させることにより、押さえ部７２１が押さえ位置から押さえ解除位置に移動する点で、伝達機構７３（第１のギヤ７３１及び第２のギヤ７３２）が押さえ部７２１が巻取ローラー６１に向けて媒体Ｍを押さえ付ける状態を解除する「解除機構」の一例に相当している。
【００６５】
上記実施形態によれば、以下に示す効果を得ることができる。
（１）押さえ部７２１が媒体Ｍを巻き取る巻取ローラー６１に向けて媒体Ｍを押さえ付けるため、巻取ローラー６１に巻き取られた媒体Ｍの層間に空気が入り込みにくくなる。このため、巻取ローラー６１に媒体Ｍを巻き取るときに、媒体Ｍの巻きずれが発生することを抑制できる。
【００６６】
（２）押さえ部７２１が巻取ローラー６１に巻き取られる以前の媒体Ｍを当該巻取ローラー６１に押さえ付けるため、巻取ローラー６１に既に巻き取られた媒体Ｍと、巻取ローラー６１にこれから巻き取られる媒体Ｍとの間に空気が入り込みにくくなる。このため、巻取ローラー６１に媒体Ｍを巻き取るときに、媒体Ｍの巻きずれが発生することをさらに抑制できる。
【００６７】
（３）巻取ローラー６１に媒体Ｍを巻き取る際に、押さえローラー７２４が回転するため、押さえ部７２１（押さえローラー７２４）と媒体Ｍとの擦れを抑制できる。このため、巻取ローラー６１に巻き取った媒体Ｍの表面が傷付くおそれを低減できる。
【００６８】
（４）押さえ部７２１が巻取ローラー６１に向けて媒体Ｍを押さえ付ける状態にある場合には、ユーザーが巻取ローラー６１を着脱（交換）しにくくなりやすい。この点、本実施形態によれば、押さえ部７２１を押さえ解除位置に配置することで、押さえ部７２１が巻取ローラー６１に向けて媒体Ｍを押さえ付ける状態を解除できるため、ユーザーが巻取ローラー６１の着脱を容易に行うことができる。
【００６９】
（５）押さえ部７２１が押さえ位置に位置したり、張力付与部７１１が押圧位置に位置したりする場合には、ユーザーが巻取ローラー６１を着脱しにくくなりやすい。この点、本実施形態によれば、ユーザーが張力付与部７１１を押圧解除位置に向けて回転させることで、押さえ部７２１を押さえ解除位置に回転させることができる。このため、ユーザーが押さえ部７２１を押さえ解除位置に位置させる作業と張力付与部７１１を押圧解除位置に移動させる作業とを別個に行う必要がなくなるため、ユーザビリティを向上させることができる。
【００７０】
なお、上記実施形態は、以下に示すように変更してもよい。
・伝達機構７３は、３以上のギヤからなる伝達機構７３であってもよい。
・押さえ部７２１は、巻取ローラー６１に巻き取った後の媒体Ｍを巻取ローラー６１に向けて押さえ付けてもよい。
【００７１】
・巻取装置１００は、伝達機構７３を備えなくてもよい。この場合、張力付与部７１１及び押さえ部７２１をモーターなどのアクチュエーターで回転させてもよいし、ユーザーに手動で回転させてもよい。
【００７２】
・押さえ部７２１は、回転以外の移動態様で押さえ位置と押さえ解除位置との間を移動してもよい。同様に、張力付与部７１１は、回転以外の移動態様で押圧位置と押圧解除位置との間を移動してもよい。
【００７３】
・押さえ部７２１の押さえローラー７２４は、幅方向Ｘに間隔をおいて複数配置してもよい。
・押さえ部７２１は、押さえローラー７２４を有しなくてもよい。この場合、押さえ部７２１は、幅方向Ｘを長手方向とする押さえ板を有することが好ましい。
【００７４】
・巻取開始角度θａ及び巻取停止角度θｂを検出する検出部７１４は、ロータリーエンコーダーでなくてもよい。例えば、巻取開始角度θａ及び巻取停止角度θｂに配置された張力付与部７１１のアーム部材７１６に接触することで、巻取開始角度θａ及び巻取停止角度θｂを検出する接触式の検出部であってもよい。
【００７５】
・巻取装置１００は、張力付与装置を備えなくてもよい。この場合には、巻取装置１００は、巻取ローラー６１に媒体Ｍを連続的に巻き取ることが好ましい。
・巻取装置１００は、シート状の媒体Ｍに裁断等の加工を行う加工装置に適用してもよい。
【００７６】
・媒体Ｍは、用紙の他、繊維、皮革又はプラスチックフィルムであってもよい。
・吐出部５１は、幅方向Ｘにおいて、媒体Ｍの長さ以上の長さを有するノズル列が形成され、印刷装置１０に対して固定配置された、いわゆるラインヘッドであってもよい。
【００７７】
・上記実施形態において、印刷に用いられる記録材は、インク以外の流体（液体や、機能材料の粒子が液体に分散又は混合されてなる液状体、ゲルのような流状体、流体として流して吐出できる固体を含むもの）であってもよい。例えば、液晶ディスプレイ、ＥＬ（エレクトロルミネッセンス）ディスプレイ及び面発光ディスプレイの製造などに用いられる電極材や色材（画素材料）などの材料を分散または溶解のかたちで含む液状体を吐出して記録を行う構成にしてもよい。
【００７８】
・上記実施形態において、印刷装置１０は、インクを吐出することで記録を行うプリンターに限らず、例えばレーザープリンター、ＬＥＤプリンター、熱転写プリンター（昇華型プリンターを含む）などのノンインパクトプリンターでもよいし、ドットインパクトプリンターなどのインパクトプリンターでもよい。
【符号の説明】
【００７９】
１０…印刷装置、１１…筐体、１２…脚部、２０…繰出部、２１…繰出ローラー、２２…繰出ユニット、２３…案内軸、２４…回転体、２５…繰出モーター、３０…支持部、３１…第１の支持部、３２…第２の支持部、３３…第３の支持部、４０…搬送部、４１…駆動ローラー、４２…従動ローラー、５０…印刷部、５１…吐出部、５２…キャリッジ、５３…ガイド軸、６０…巻取部、６１…巻取ローラー、６２…巻取ユニット、６３…案内軸、６４…制御部、６５…回転体、６６…巻取モーター、７０…巻取補助部、７１…張力付与機構、７１１…張力付与部、７１２…回転軸、７１３…固定部、７１４…検出部、７１５…テンションバー、７１６…アーム部材、７２…押さえ機構、７２１…押さえ部、７２２…回転軸、７２３…付勢部材、７２４…押さえローラー、７２５…アーム部材、７３…伝達機構（解除機構の一例）、７３１…第１のギヤ、７３２…第２のギヤ、７３３…第１の当接部、７３４…第２の当接部、１００…巻取装置、Ｍ…媒体、Ｒ１…第１の回転方向、Ｒ２…第２の回転方向、Ｘ…幅方向、Ｙ…前後方向、Ｚ…鉛直方向、θａ…巻取開始角度、θｂ…巻取停止角度。
【図１】
2018065657.tif 000003
【図２】
2018065657.tif 000004
【図３】
2018065657.tif 000005
【図４】
2018065657.tif 000006
【図５】
2018065657.tif 000007